(57)【要約】  本発明は、本体（２）と、少なくとも２つの先端部（３ａ、３ｂ）と、を備える、筒型形状を有するデバイス（１）であって、これら先端部（３ａ、３ｂ）の少なくとも１つが、楕円（６）を形成する開口部（５）を備え、Ｖ字形（４）であり、ｉ）デバイス（１）の中心及び長手方向の軸線（７）と、ｉｉ）Ｖ字形（４）によって形成される接線（８）との間の角度αが１０°未満である、デバイス（１）に関する。【選択図】  図３
2016534350.tif 000002
【特許請求の範囲】
【請求項１】
本体（２）と、少なくとも２つの先端部（３ａ、３ｂ）と、を備える、筒型形状を有するデバイス（１）であって、前記先端部（３ａ、３ｂ）の少なくとも１つが、楕円（６）を形成する開口部（５）を含み、Ｖ字形（４）であり、前記デバイス（１）の中心長手方向軸線（７）と、前記Ｖ字形（４）によって形成される接線（８）との間の角度αが１０°未満である、デバイス（１）。
【請求項２】
前記デバイス（１）の前記本体（２）が、規則的な形状、不規則な形状又はこれらの組み合わせを有する、請求項１に記載のデバイス（１）。
【請求項３】
楕円（６）を形成する開口部（５ａ）を含み、Ｖ字形（４）である１つの先端部（３ａ）と、
開口部（５ｂ）を含む１つの先端部（３ｂ）と、を備える、請求項１又は２に記載のデバイス（１）。
【請求項４】
楕円（６）を形成する開口部（５）を含み、Ｖ字形（４）である１つの先端部（３ａ）と、
閉じられた１つの先端部（３ｂ）と、を備える、請求項１又は２に記載のデバイス（１）。
【請求項５】
前記角度αが、４°〜９．５°、例えば、４°、５°、６°、７°、８°若しくは９°、又はその間の任意の値である、請求項１〜４のいずれか一項に記載のデバイス（１）。
【請求項６】
前記デバイス（１）の接線長手方向の軸線（９）に対する前記楕円（６）の傾斜角に相当する角度βが、５°〜３０°、又は８°〜２５°、又は１０°〜２０°、又は１３°〜１８°、例えば、１３°、１４°、１５°、１６°、１７°若しくは１８°である、請求項１〜５のいずれか一項に記載のデバイス（１）。
【請求項７】
前記デバイス（１）の長さ（ｌ．ｄ．）が６０ｍｍ〜１８０ｍｍである、請求項１〜６のいずれか一項に記載のデバイス（１）。
【請求項８】
前記楕円（６）の頂部（１０）における、前記本体（２）の直径Ωが１０ｍｍ〜４０ｍｍである、請求項１〜７のいずれか一項に記載のデバイス（１）。
【請求項９】
前記楕円（６）の長さ（ｌ．ｅ．）が２５ｍｍ〜５５ｍｍ、例えば、３８ｍｍ〜５０ｍｍである、請求項１〜８のいずれか一項に記載のデバイス（１）。
【請求項１０】
前記楕円（６）の幅（ｗ．ｅ．）が９ｍｍ〜１４ｍｍ、例えば、１０ｍｍ〜１３ｍｍである、請求項１〜９のいずれか一項に記載のデバイス（１）。
【請求項１１】
前記楕円（６）の前記長さ（ｌ．ｅ．）と前記幅（ｗ．ｅ．）との比が、３〜５、特に、３．５〜４．５、又は３．６〜４．１、又は３．８〜４である、請求項１〜１０のいずれか一項に記載のデバイス（１）。
【請求項１２】
少なくとも１つの目盛（１１）、例えば、少なくとも２つ、３つ、４つ、５つ又は６つの目盛（１１ａ、１１ｂ、１１ｃ、１１ｄ、１１ｅ、１１ｆ）を備える、請求項１〜１１のいずれか一項に記載のデバイス（１）。
【請求項１３】
剛性であり、かつプラスチック材料でできている、請求項１〜１２のいずれか一項に記載のデバイス（１）。
【請求項１４】
果物又は野菜又は動物の形状を有する、請求項１〜１３のいずれか一項に記載のデバイス（１）。
【請求項１５】
粉末製品（１２）を取り出す、収容する、移動させる、送達する及び／又は１回量を計り取るのに適している、請求項１〜１４のいずれか一項に記載のデバイス（１）。
【請求項１６】
前記粉末製品（１２）が、２００ｇ／Ｌ〜６００ｇ／Ｌの密度、並びに／又は、３０μｍ〜５００μｍの粒度分布及び／若しくは平均粒度分布を有する、請求項１５に記載のデバイス（１）。
【請求項１７】
前記粉末製品（１２）が、粉末ブイヨン、粉末スープ、乳児用調製粉乳、乳児用シリアル、コーヒー粉末、チョコレート粉末、又は任意の他の粉末若しくは飲料粉末などの食品製品である、請求項１５又は１６に記載のデバイス（１）。
【請求項１８】
請求項１〜１７のいずれか一項に記載のデバイス（１）と、粉末製品（１２）を含み得る容器（１３）と、を備える、部品キット。
【請求項１９】
粉末製品（１２）を取り出す、収容する、移動させる、送達する及び／又は１回量を計り取るための、請求項１〜１７のいずれか一項に記載のデバイス（１）の使用。
【請求項２０】
粉末製品（１２）を取り出す、収容する、移動させる、送達する及び／又は１回量を計り取るための方法であって、
ａ）請求項１〜２０のいずれか一項に記載のデバイス（１）を前記容器（１３）の上に配置するステップであって、前記容器（１３）が、開いており、いくらかの粉末製品（１２）を収容している、ステップと、
ｂ）前記デバイス（１）を前記粉末製品（１２）に挿入するステップと、
ｃ）前記デバイス（１）を取り出すステップであって、前記デバイス（１）はここで、内部にいくらかの粉末製品（１２）を含んでいる、ステップと、
ｄ）前記粉末製品（１２）を、前記容器（１３）からその使用場所（１８）へと移動させるステップと、
ｅ）前記粉末製品（１２）をその使用場所（１８）に又はその使用場所（１８）内に送達するステップと、を含む、方法。
【請求項２１】
ステップｂ）の後かつステップｃ）の前にステップｂ’）を含み、前記ステップｂ’）が、前記デバイス（１）を５度〜３６０度回すことからなる、請求項２０に記載の方法。
【請求項２２】
前記粉末製品（１２）が、２００ｇ／Ｌ〜６００ｇ／Ｌの密度、並びに／又は、３０μｍ〜５００μｍの粒度分布及び／若しくは平均粒度分布を有する、請求項１９に記載の使用又は請求項２０若しくは２１に記載の方法。
【請求項２３】
前記粉末製品（１２）が、粉末ブイヨン、粉末スープ、乳児用調製粉乳、乳児用シリアル、コーヒー粉末、チョコレート粉末、又は任意の他の粉末若しくは飲料粉末などの食品製品である、請求項１９に記載の使用又は請求項２０若しくは２１に記載の方法。
【発明の詳細な説明】
【技術分野】
【０００１】
本発明は、特に、粉末形態を有する製品を、収容する、移動させる、送達する及び／又は１回量を計り取取り出するように構成された、特定の形状を有するデバイスに関する。
【背景技術】
【０００２】
製品、特に、消費財は、様々な物理的形態にて存在する。例えば、それらは、固体、液体、又は粘性であり得る。固体の場合、製品は、粉末形態、すなわち、粒状形態とされ得る。この特定の形態は固体の微粒子を含むため、製品の分注を容易にするのに特に好適である。取り出して送達する製品の量もより一層調節できる。
【０００３】
製品は、様々な種類の材料（プラスチック、ガラス、金属、ボール紙等）で作製され得る種々のタイプの容器（パッケージ、パウチ、箱、瓶等）に保存することができる。容器は、また、種々の形状を有し得る。容器は、剛性とすることもできるが、特に、プラスチックフィルム、紙及び／又はアルミニウムなどの可撓性材料がその製造に用いられる場合は、逆に、可撓性又は半可撓性とすることもできる。容器はいくつかの機能を満足する。容器は、消費者に対し、安全、衛生的かつ便利な手法で製品を調整する、運搬する、保存する及び分配することを可能にするだけでなく、商用広告のための視覚的サポートも提供することがある。
【０００４】
製品又はその一部を、ディスペンサグラス、ビーカー、スプーン又はスコップなどの、容器から取り出して送達するための種々のデバイスが存在し、それらは多種多様な形状を有し得る。例えば、消費者は、一般に、洗浄用粉末を取り出し、かつ１回量を計り取るためにプラスチックカップを使用する。コーヒー粉末、チョコレート粉末、乳児用調製粉乳及び乳児用シリアルなどの粉末食品製品に関しては、消費者は、通常、スプーン又はスコップを使用する。これらのものは、一般に、小さなキャビティ（又は小皿）を有するハンドルを備える。スコップのいくつかの例は、国際公開第２０１２００９１２４号及び国際公開第２０１２８５７８３号に見ることができる。
【０００５】
しかしながら、既存のデバイスはいくつかの欠点を呈する。これらデバイスを使用して製品を容器からその使用場所へと（例えば、カップ又は哺乳瓶等へと）移動させるとき、粉末製品の一部が落下し、失われるおそれがある。これは特に、デバイス内の粉末が多量であること、提供の速度及び／又は製品の流動性（粉末小粒（powder granules）のサイズが小さくなるほど増加する）に起因するものである。既存のスプーン及びスコップのキャビティ（又は小皿）は、その小さなサイズ及びその広がった形状のため、それが収容するすべての粉末を保持することはできない。この製品のロスは、ロスとなった粉末を廃棄しなければならない消費者にとっては経済的な欠点である。また、これにより、移動場所がロスとなった粉末だらけになるために汚れることから、消費者に、いくらかの不快感を生じさせる可能性もある。
【０００６】
加えて、既存のデバイスでは、粉末製品の正確な１回量を得ることが可能になるとは限らない。これは、特に、スプーン及びスコップを使用する場合に当てはまるが、これは、粉末製品が、取り出されるときに、キャビティ（又は小皿）の上に堆積を形成する傾向があるからである。
【０００７】
したがって、粉末製品を容器から取り出すこと、任意選択的に、同じ時間で（in the same time）、取り出された量が１回分となることを可能にするデバイスを開発する必要がある。また、製品を、製品ロスが全くないか、製品ロスが限定された状態で送達することができ、かつまた、広範な粉末製品に使用できるデバイスが必要である。
【発明の概要】
【発明が解決しようとする課題】
【０００８】
したがって、本発明の目的は、本体と、少なくとも２つの先端部と、を備える、筒型形状を有するデバイスであって、これら先端部の少なくとも１つが、楕円を形成する開口部を備え、Ｖ字形であり、デバイスの中心長手方向軸線と、Ｖ字形によって形成される接線との間の角度αが１０°未満である、デバイスを提供することである。
【０００９】
本発明の別の目的は、本発明のデバイスと、粉末製品を含む容器と、を備える、部品キットである。
【００１０】
本発明は、また、食品製品、特に、粉末ブイヨン、粉末スープ、乳児用調製粉乳、乳児用シリアル、コーヒー粉末、チョコレート粉末又は任意の他の種類の粉末などの粉末製品を取り出す、収容する、移動させる、送達する及び／又は１回量を計り取るための、本発明のデバイスの使用に関する。
【００１１】
本発明の別の目的は、本発明のデバイスを用いて粉末製品を取り出す、収容する、移動させる、送達する及び／又は１回量を計り取るための方法である。
【課題を解決するための手段】
【００１２】
したがって、本発明の第１の目的は、本体と、少なくとも２つの先端部と、を備える、筒型形状を有するデバイスであって、これら先端部の少なくとも１つが、楕円を形成する開口部を備え、Ｖ字形であり、ｉ）デバイスの中心及び長手方向の軸線と、ｉｉ）Ｖ字形によって形成される接線との間の角度αが１０°未満である、デバイスである。
【００１３】
本願に記載される種々の態様、特徴、実施例及び実施形態は、互換性があること、及び／又はともに組み合わせることができることに留意されたい。
【００１４】
本発明のデバイスは、いくらかの製品を収容することができる密閉容積を画定する筒型形状を有する。デバイスは、少なくとも２つの先端部によって境界が定められた本体（チューブ）を備える。チューブは、内側面及び外側面によって境界が定められた壁を有し、壁厚は、１ミリメートル未満〜数センチメートル（a few centimetres）、例えば、０．１ｍｍ〜２ｃｍ、又は０．５ｍｍ〜１．５ｃｍ、又は０．８ｍｍ〜１ｃｍの寸法とされ得る。
【００１５】
デバイスは、一般に、２つの先端部を有する。これら先端部は、通常、両側、つまり、デバイスが垂直／直立とされる場合は、一般に、底部先端部及び上部先端部に配置されているが、これは必須ではない。しかしながら、デバイスがより多くの先端部（例えば、３つ、４つ等）、例えば、底部先端部及び２つの上部先端部、を有し得るいくつかの実施形態もあり得る。
【００１６】
本発明のデバイスは、種々の形状を有し得る。いくつかの実施形態では、デバイスは長手形状を有する。いくつかの他の実施形態においては、デバイスは湾曲形状を有する。
【００１７】
デバイスの形状、特に、デバイスの本体及び／又は先端部の形状は、用途、製品の種類及び／又は消費者のタイプに応じて適合される。
【００１８】
いくつかの実施形態では、本発明のデバイス及び／又は本発明のデバイスの本体は規則的な形状を有する。これは、デバイスの（すなわち、チューブの）及び／又は本体（すなわち、本体のチューブ）の直径がその長さに沿って一定であることを意味する。デバイスのチューブの直径は、一般に、２、３センチメートル（few centimetres）〜数センチメートル（several centimetres）、例えば、１０ｍｍ〜５０ｍｍ、又は１０ｍｍ〜３５ｍｍ、又は１０ｍｍ〜２０ｍｍである。
【００１９】
いくつかの他の実施形態においては、本発明のデバイス及び／又は本発明のデバイスの本体は、不規則な形状を有する。これは、デバイス及び／又は本体の直径がその長さに沿って一定でないこと、すなわち、その長さに沿って変化することを意味する。変化は、比例（例えば、デバイスの頂部からデバイスの底部への比例的減少）などの、規則的なものとすることができ、例えば、漏斗形状を有することができる。あるいは、変化は不規則なもの（例えば、ランダムな変化）とすることもできる。
【００２０】
本発明のデバイス及び／又は本発明のデバイスの本体は、また、規則的な形状及び不規則な形状の両方を有し得る。すなわち、デバイス／デバイスの本体の少なくとも一部は規則的な形状を有し、別の部分は不規則な形状を有する。
【００２１】
チューブの直径に関して同様に、チューブの幅もまた、その長さに沿って一定とすることも、その長さに沿って一定としないことも、これらの組み合わせとすることもできる。例えば、円錐形状（すなわち、漏斗形状）を有するデバイスでは、広い方の開口部が狭い方の開口部よりも大きな幅を有する。
【００２２】
デバイスのチューブは規則的な形状又は不規則な形状を有し得る。チューブの断面は、例えば、円、長円形を形成し得る。あるいは、例えば、三日月形などの、凹形状又は凸形状を有し得る。
【００２３】
デバイスの先端部は、同じ形状又は異なる形状を有し得る。いくつかの実施形態においては、デバイスの先端部は異なる形状を有する。
【００２４】
本発明によるデバイスの少なくとも１つの先端部は、Ｖ字形（すなわち傾斜先端部）である。これは一般に底部先端部である。いくつかの特定の実施形態においては、デバイスのすべての先端部がＶ字形である。
【００２５】
Ｖ字形は、頂点又は点により終端し得る。あるいは、Ｖ字形はわずかな湾曲を形成し得る。いくつかの有利な実施形態においては、Ｖ字形はわずかな湾曲によって終端する。この特定の実施形態においては、本発明によるデバイスの少なくとも１つの先端部はＵ字形を有する。
【００２６】
この、Ｖ字形である１つの先端部は、楕円形態を有する開口部（開口部がデバイスの長さに対し傾斜している）、すなわち、楕円を形成する開口部を備える。いくつかの実施形態では、開口部の一部のみが楕円形態を有する。特定の実施形態においては、Ｖ字形である先端部の少なくとも上部が楕円形態を有する。いくつかの実施形態では、開口部全体が楕円形態を有する。
【００２７】
Ｖ字形は、デバイスの中心及び長手方向の軸線に対して斜めに切断することにより得ることができ、それによって、傾斜先端部を得る。
【００２８】
特に有利な実施形態においては、この開口部は、デバイスを粉末製品内によりうまく挿入するために鋭利に切断される。
【００２９】
いくつかの実施形態では、本発明によるデバイスの他方の先端部（又は先端部（複数））は、また、デバイスの長さに対して傾斜又は垂直とすることができ、かつ鋭利又は不規則とされ得る開口部を備え得る。これは一般に上部先端部（又は先端部（複数））である。
【００３０】
本発明のデバイスは、したがって、少なくとも、
楕円を形成する開口部を備え、Ｖ字形である１つの先端部（通常、底部先端部）と、
開口部を備える１つの先端部（通常、上部先端部）と、
を備え得る。
【００３１】
本発明のいくつかの他の実施形態においては、デバイスの他方の先端部（又は先端部（複数））は閉じることができる。
【００３２】
本発明のデバイスは、したがって、少なくとも、
楕円を形成する開口部を備え、Ｖ字形である１つの先端部（通常、底部先端部）と、
閉じられた１つの先端部（通常、上部先端部）と、
を備え得る。
【００３３】
この閉じた先端部は密閉され得る。この先端部は、曲線である、直線である、又はデザインパターンを備えるなどの、異なるタイプの形状を有し得る。デザインパターンの存在は、デバイスの全般的なデザインの一部とされ得る、及び／又は、また、消費者による本発明のデバイスのより適切な取り扱いを補助してもよい。
【００３４】
本発明のデバイスは、全般的に、垂直デバイスである。すなわち、デバイスが使用されるとき、デバイスは（例えば、それが水平に保管され得る場合であっても）垂直／直立に配置される。実際、スプーン又はスコップに対する、本発明の特定の利点の１つは、例えば、製品の移動のためにデバイスを垂直に使用できるということであり、これがなければ、製品は落下したり、デバイスからすべり出たりする。このため、移動中の製品のロスがない。これは、消費者が、製品の移動のために、製品を収容するデバイスを横に又は水平に保持することに特に注意を払う必要がないことを意味する。しかしながら、デバイスを垂直／直立で使用することが有利であったとしても、デバイスを横に（斜めに）又は水平に使用することも依然として可能である。前に述べたように、楕円を形成する開口部を備え、Ｖ字形である先端部は、一般に、デバイスの底部先端部であり、この特定の先端部から粉末製品をデバイス内に入れる。
【００３５】
ｉ）デバイスの中心及び長手方向の軸線と、ｉｉ）少なくとも１つの先端部のＶ字形によって形成される接線との間の角度αは、１０°未満である。実際、この角度αが１０°以上である場合、容器から粉末製品を適切に取り出すことが不可能となる。つまり、製品がすべり出るためデバイス内に残らない。
【００３６】
角度αは、通常、４°〜９．５°、又は４°〜９°、又は５°〜９°、又は５°〜８°である。角度αは、例えば、４°、５°、６°、７°、８°若しくは９°とされ得るか、又は、角度αは、その間の任意の値、例えば、その間の任意の少数の値（４．１°、４．２°、４．３°等）を有し得る。７°の角度αが特に有利な例である。
【００３７】
Ｖ字形である少なくとも１つの先端部の開口部を形成する楕円は、デバイスの長さに対し傾斜している。角度β（デバイスの接線長手方向の軸線に対し、Ｖ字形である先端部の楕円によって形成される傾斜角に相当する）は、５°〜３０°、若しくは８°〜２５°、若しくは１０°〜２０°、若しくは１３°〜１８°、例えば、１３°、１４°、１５°、１６°、１７°若しくは１８°、又はその間の任意の値、例えば、その間の任意の少数の値（１３．１°、１３．２°、１３．３°等）とされ得る。１５°の角度βが特に適切な例である。
【００３８】
本発明によるデバイスは、２、３センチメートル（few centrimetres）〜数デシメートル（several decimetres）の長さ（ｌ．ｄ．）を有し得る。いくつかの実施形態では、デバイスは、６０ｍｍ〜１８０ｍｍ、又は６５〜１２０ｍｍ、又は７０ｍｍ〜９０ｍｍの長さ（ｌ．ｄ．）を有する。長さ（ｌ．ｄ．）は、一般に、デバイスの頂部（つまり上部先端部）からデバイスの底部（つまり底部先端部）までの寸法である。
【００３９】
デバイスの頂部から楕円の頂部までを測定した場合、楕円の頂部は、一般に、デバイスの長さ（ｌ．ｄ．）の半分であるか、デバイスの長さ（ｌ．ｄ．）の半分を超える距離（ｌ．ｔ．ｅ）に位置する。例えば、楕円の頂部は、デバイスの頂部の１／２、２／３、３／４、４／５等に位置し得る。
【００４０】
楕円の頂部（Ｖ字形である開口部の上部分の上縁端を意味する）における本体の直径Ω（又はデバイスの幅）は、１、２センチメートル（few centimetres）〜数センチメートル（several centimetres）、例えば、１０ｍｍ〜４０ｍｍ、又は１０ｍｍ〜３０ｍｍ、又は１５ｍｍ〜２５ｍｍ、又は１７ｍｍ〜２３ｍｍとされ得る。直径Ωは、例えば、１８ｍｍ又は２０ｍｍとされ得る。
【００４１】
楕円の長さ（ｌ．ｅ．）は、実施形態に応じて、１、２センチメートル（few centimetres）〜数センチメートル（several centimetres）である。いくつかの実施形態では、楕円の長さ（ｌ．ｅ．）は、２５ｍｍ〜５５ｍｍ、又は有利には、３８ｍｍ〜５０ｍｍの範囲内で選択され得る。
【００４２】
楕円の幅（ｗ．ｅ．）は、実施形態に応じて、１、２センチメートル（few centimetres）〜数センチメートル（several centimetres）である。いくつかの実施形態では、楕円の幅（ｗ．ｅ．）は、９ｍｍ〜１４ｍｍ、又は有利には、１０ｍｍ〜１３ｍｍの範囲で選択され得る。
【００４３】
本発明のいくつかの特定の例においては、楕円は、以下の長さ（ｌ．ｅ．）及び幅（ｗ．ｅ．）を有し得る。
３８ｍｍ×１０ｍｍ
４０ｍｍ×１０ｍｍ
４０ｍｍ×１１ｍｍ
４０ｍｍ×１２ｍｍ
４１ｍｍ×１２ｍｍ
４２ｍｍ×１１ｍｍ
５０ｍｍ×１３ｍｍ
【００４４】
例えば、角度αが約９°の場合、楕円は、以下の範囲の長さ（ｌ．ｅ．）及び幅（ｗ．ｅ．）、つまり、３８ｍｍ×１０ｍｍ〜４２ｍｍ×１１ｍｍを有し得る。また、角度αが５°〜８°の場合、楕円は、以下の範囲の長さ（ｌ．ｅ．）及び幅（ｗ．ｅ．）、つまり、４０ｍｍ×１０ｍｍ〜５０ｍｍ×１３ｍｍを有してもよい。
【００４５】
楕円の長さ（ｌ．ｅ．）と幅（ｗ．ｅ．）との比は、一般に、３〜５、特に、３〜４．５、又は３．３〜４．１である。いくつかの実施形態では、比は、また、３．６〜４．１、例えば、３．８〜４とされ得る。
【００４６】
いくつかの有利な実施形態においては、本発明のデバイスは、デバイス上、すなわち、デバイスの外側表面上に少なくとも１つの目盛を備える。デバイスは、少なくとも２つ、３つ、４つ、５つ、６つ又はそれを更に超える数の目盛を有してもよい。目盛により、消費者が、デバイスに充填する製品を目測で計り取ることが可能になる。例えば、製品の充填を（デバイスの底部から）３番目の目盛まででやめると、（デバイスの底部から）４番目の目盛まで製品を満たすより少ない製品を保持することが可能になる。したがって、所望であれば、消費者は、要望及び／又は必要に応じて製品の１回量を計り取ることができ、この方法は、特定量の製品を所望するたびに再現可能である。
【００４７】
目盛は、任意の適切な形態を有してもよい。例えば、目盛は、デバイスを完全に又は部分的に取り囲む少なくとも１本の線とすることができ、あるいは、また、デバイスを完全に又は部分的に取り囲む少なくとも１つの切欠によって作製してもよい。また、充填レベルを示す数（充填された製品の定量的な量、又は充填の割合、又は単に１、２、３等のデジタル数字など）があってもよい。
【００４８】
デバイスがいくつかの目盛を有する場合、それらは同様の又は異なる距離（ｄ）にて互いに離れていてもよい。
【００４９】
いくつかの実施形態では、各目盛は、２つの連続する目盛の間におけるデバイスの密閉容積が、他の２つの連続する目盛の間の密閉容積に類似するような状態で離れている。場合などにおいては、デバイスの形状（例えば、本体の直径がその長さに沿って一定であってもなくても）に応じて、距離（ｄ）は異なっても異なっていなくてもよい。
【００５０】
本発明によるデバイスは、種々の種類の材料で作製されてもよい。デバイスはプラスチック材料で作製されると有利である。例えば、デバイスは、ポリプロピレン、ポリエチレン（ＰＥ）、ポリエチレンテレフタレート（ＰＥＴ）、ポリブチレン、ポリオレフィン、エチレン酢酸ビニル、ポリアミド、ポリ塩化ビニル、エチレンビニルアルコール、ポリ塩化ビニリデン、ポリビニルアルコール、シリコン等で作製され得る。
【００５１】
本発明のデバイスは、当業者に既知の任意の適切な技術によって作製してもよい。例えば、デバイスは、３Ｄ印刷によって、又はデバイスの所望の形状を有する金型に材料を溶融状態で射出することからなる射出成形などの射出方法を用いることによって作製してもよい。デバイスは、また、熱成形（thermoformation）によって、すなわち、（例えば、初めはシートの形態の）材料を加熱し、その後、それをデバイスの所望の形状を有するキャビティ内に熱望し（aspiring）、その後、少なくとも１つの先端部にて切断し、本発明による筒状デバイスの開口部を得ることによって作製してもよい。
【００５２】
実施形態に応じて、本発明のデバイスは透明であっても不透明であってもよい。透明なデバイスにより、客がデバイス内に充填される製品を見ることが可能になる。これは、また、デバイスの表面の目盛の使用に加えて及び／又はデバイスの表面の目盛の使用の代わりに、客が製品を目測で計り取るための別の手法とされ得る。
【００５３】
本発明のデバイスは、その内部に製品が（少なくとも一時的に）とどまることができるように、通常、剛性であるか、わずかに可撓性がある。デバイスは剛性であると有利である。
【００５４】
すでに述べたように、本発明によるデバイスは、その用途、充填される製品の種類及び／又はターゲットとする客に応じた種々の形状／デザインを有してもよい。デバイスは、また、単一の又はいくつかの色を有してもよい。
【００５５】
例えば、デバイスは、（例えば、規則的な形状の）シンプルなモノクロームチューブ（monochrome tube）とされ得る。これは、例えば、乳児用調製粉乳のような製品の場合に該当し得る。あるいは、デバイスは、（本発明のデバイスの必須の特徴が存在することを条件として）果物、野菜又は動物の形状のような、任意の所望の物品の形状／デザインを有し得る。これら形状／デザインは、特に、客が子供である場合に、デバイスを使用することを楽しむため、魅力的なものとなる。例えば、デバイスは、例えば、オレンジ色のチューブ及び緑色のデザインパターン（ニンジンの尾（tail of the carrot））を有する、ニンジンの形態を有してもよい。これにより、子供にとって、例えば、土のように見えるいくらかのカカオ粉末においてこの特定のデバイスを使用することが特に面白くなる。デバイスは、また、それが必須の特徴を有することを条件として、例えば、バナナ（湾曲形状）又は玩具フィギュア（toy figurine）の形状を有してもよい。
【００５６】
前に述べたように、本発明によるデバイスは、粉末製品を取り出す、収容する、移動させる、送達する及び／又は１回量を計り取るのに適している。デバイスの適合性を定義するために、本願に記載される試験Ｔを使用してもよい。本発明のデバイスは、粉末製品が、２００ｇ／Ｌ〜６００ｇ／Ｌ、例えば、２５０ｇ／Ｌ〜５８０ｇ／Ｌ、又は２５０ｇ／Ｌ〜４８０ｇ／Ｌの密度を有する場合、特に効率的である。
【００５７】
本発明のデバイスは、また、粉末製品が、３０μｍ〜５００μｍ、及び特に、５０μｍ〜４００μｍ、例えば、８０μｍ〜３００μｍ、又は１００μｍ〜２００μｍ、又は１２０μｍ〜１８０μｍの粒度分布（すなわち、粒子のサイズ、粒径分布（granulometry）とも呼ばれる）及び／若しくは平均粒度分布（すなわち、容器内の種々の粒子の平均サイズ。粒子のサイズが異なる場合があるため）を有する場合、特に効率的である。特定の例は、１５６μｍの平均粒度分布を有する粉末製品である。
【００５８】
本発明のデバイスは、粉末製品が、２００ｇ／Ｌ〜６００ｇ／Ｌ、例えば、２５０ｇ／Ｌ〜５８０ｇ／Ｌ、又は２５０ｇ／Ｌ〜４８０ｇ／Ｌの密度、並びに３０μｍ〜５００μｍ、及び特に、５０μｍ〜４００μｍ、例えば、８０μｍ〜３００μｍ、又は１００μｍ〜２００μｍ、又は１２０μｍ〜１８０μｍの粒度分布及び／又は平均粒度分布の両方を有する場合、特に効率的である。
【００５９】
加えて、デバイスは、また、粉末製品が、デバイスの内側に粉末製品が貼り付くことを可能とする組成を有する場合、及び／又はグルコース及び塩などの、粉末製品に少しの粘着性を持たせるいくらかの架橋剤又は凝集剤を含む場合、特に効率的である。いくつかの粉末製品はこれらの成分を含み、当業者に既知の、そのような粉末製品を得るための多くの手法がある。例として、粉末製品中に砂糖及び／又は塩（例えば、少なくとも３重量％又は少なくとも１０重量％又は少なくとも２０重量％）が存在することにより、乾燥しすぎない製品を得ることが可能になる。別の例は、コーヒー粉末中にマイクログラインドコーヒーが（例えば、３重量％）存在するものである。
【００６０】
粉末製品は、非常に多種多様なものであり得る。粉末製品は有利には食品製品であるが、同様に、客が本発明によるデバイスを使用するのに関心がある任意の他の種類の粉末製品（例えば、洗浄用粉末）であってもよい。
【００６１】
粉末食品製品は、例えば、粉末ブイヨン（野菜又は肉を基にした、キューブではなく分散形態の）、粉末スープ、乳児用調製粉乳、乳児用シリアル、コーヒー粉末、チョコレート粉末、又は任意の他の粉末若しくは飲料粉末とされ得る。粉末食品製品は、特に、乳児用調製粉乳、乳児用シリアル、コーヒー粉末又はチョコレート粉末であってもよい。
【００６２】
本発明の別の目的は、本発明のデバイスと、粉末製品を備える（又は備え得る）容器と、を備えるキット（又は部品キット（kit of part）又は部品のキット（kit−of−part））である。容器は、粉末製品を受容するように適合されている。前に述べたように、粉末製品は、粉末ブイヨン、粉末スープ、乳児用調製粉乳、乳児用シリアル、コーヒー粉末、チョコレート粉末又は任意の他の粉末などの粉末食品製品であってもよい。
【００６３】
容器は、任意の適切な形状を有してもよい。容器は、例えば、基部と、開口部と、少なくとも１つの（１つ、２つ、３つ、４つ又はこれを超える）側壁（しかし、通常、４つの側壁）と、を備えてもよく、容器は、例えば、蓋で閉じることができ、これにより、容器の内容物が空気と長時間の接触をしないため、衛生上の問題が回避される。蓋により、容器を閉じる、つまり気密的に閉じることが可能になる。容器は、また、蓋が容器を閉じるときに蓋をその所定位置に維持するためのいくつかの保持手段（例えば、保持要素）を備えてもよい。当業者であれば、使用できる種々の蓋について認識している。例えば、蓋は、容器の頂部（すなわち開口部）に付加される別個の部品とされ得る。この蓋は、ねじ止めすることができるか、あるいは、この蓋は、形状の相補性によって容器の本体に単に嵌め込むことができる。蓋は、また、例えばヒンジなどの任意のリンク手段（例えば、リンク要素）によって容器に連結することができる。
【００６４】
容器のタイプは、それが収容し得る粉末製品に応じて適合される。容器は、また、種々の形状を有し得る。例えば、容器は、箱であっても、パッケージであっても、瓶であっても、パウチであっても、ブリキ缶であってもよい。容器は、矩形（平行六面体（parrallepipedic））であっても、長円形（例えば、ブリキ缶、ドイパック）等であってもよい。
【００６５】
特定の実施形態においては、キットの容器には、容易に扱うことができるように剛性がある。いくつかの他の実施形態においては、キットの容器は、可撓性であっても半可撓性であってもよい。容器は、例えば、厚紙、ガラス、プラスチック又は金属材料で作製され得る。
【００６６】
キット内において、本発明のデバイスは、容器内、例えば、粉末製品内に直接配置できる、のいずれか（either）であるが、特に、衛生及び利便性の理由から、客が自身の指を製品の奥深くまで入れすぎることを避けるため、開口部にあるか、少なくとも容器の開口部の近傍にあることが好ましい。
【００６７】
より良好な衛生及び利便性を提供するため、デバイスは、有利には、粉末製品から分離されてもよい。デバイスは、例えば、キットの容器の蓋の下（すなわち、蓋の内部面又は内面に）に取り付けてもよく、あるいは、新しい製品の上にあることが多い、容器の開口部にある層上（すなわち、粉末製品上方）に取り付けてもよい。デバイスは、また、容器の外側、例えば、蓋の頂部、又は容器の１つの側面などの、容器の任意の他の適切な部分に配置してもよい。これらの場合では、デバイスを容器上に保持することを補助する小さな固定デバイスがあってもよい。デバイスは、当業者が容易に決定する任意の適切な手段で取り付けられても固定されてもよい。単に例として、これは、接着片、又はデバイスを保持する可撓性タブ等の特定の固定要素の使用により行ってもよい。
【００６８】
本発明は、また、粉末製品を取り出す、収容する、移動させる、送達する及び／又は１回量を計り取るための、本発明によるデバイスの使用に関する。本発明は、また、本発明によるデバイスを用いて、粉末製品を取り出す、収容する、移動させる、送達する及び／又は１回量を計り取るための方法に関する。前に述べたように、粉末製品は、２００ｇ／Ｌ〜６００ｇ／Ｌ、例えば、２５０ｇ／Ｌ〜５８０ｇ／Ｌ、若しくは２５０ｇ／Ｌ〜４８０ｇ／Ｌの密度、並びに／又は３０μｍ〜５００μｍ、及び特に、５０μｍ〜４００μｍ、例えば、８０μｍ〜３００μｍ、若しくは１００μｍ〜２００μｍ、若しくは１２０μｍ〜１８０μｍの粒度分布及び／若しくは平均粒度分布を有することが好適である。粉末製品は、また、いくらかの架橋剤又は凝集剤を含んでもよい。粉末製品は、任意の種類の製品であってもよい。粉末製品は、粉末ブイヨン（キューブではない）、粉末スープ、乳児用調製粉乳、乳児用シリアル、コーヒー粉末、チョコレート粉末、又は任意の他の粉末若しくは飲料粉末などの粉末食品製品であり得る。
【００６９】
消費者はいくらかの粉末製品を欲するたびに容器を開け、本発明のデバイスを特定のレベルまで満たすことによっていくらかの製品を取り出し、その後、製品を容器からその使用場所（例えば、カップ又は哺乳瓶等）へと移動させ、最後に、製品をその使用場所に送達する。本発明のデバイスにおいては、製品の送達は、一般に、１本若しくは数本の指でデバイスを、又は使用場所（例えば、カップ若しくは瓶）となる受容部（recipient）をデバイスで、軽くたたくことのいずれかによって行われる。
【００７０】
したがって、本発明の別の目的は、いくらかの粉末製品を取り出す、収容する、移動させる、送達する及び／又は１回量を計り取るための方法であって、
ａ）本発明のデバイスを容器の上に配置するステップであって、容器が、開いており、いくらかの粉末製品を収容している、ステップと、
ｂ）デバイスを粉末製品に挿入するステップと、
ｃ）デバイスを取り出すステップであって、デバイスはここで、内部にいくらかの粉末製品を収容している、ステップと、
ｄ）粉末製品を、容器からその使用場所へと移動させるステップと、
ｅ）粉末製品をその使用場所に又は使用場所内に送達するステップと、
を含む、方法である。
【００７１】
この方法は、また、試験Ｔとして使用してもよい。
【００７２】
第１のステップａ）においては、本発明のデバイスは空である。容器は開いた状態にある。すなわち、消費者は、容器の内容物、すなわち、粉末製品にアクセスすることが可能である。デバイスは、垂直に、斜めに、又は水平に配置され得る。デバイスは、垂直に配置されると有利である。ステップｂ）で粉末製品をデバイス内に入れることができ、それによって、デバイスの密閉容積の少なくとも一部を満たすように、Ｖ字形である先端部は底部に配置される。
【００７３】
第２のステップｂ）は、通常、デバイスを特定のレベルまで押すことによって行われる。消費者は、製品の特定の１回量となる特定のレベルまで、デバイスを（例えば、自身の手又は指で）粉末製品に押し込んでもよい。そのような１回量は、消費者のニーズによる。したがって、消費者は、より多くの又は少ない製品を得るために、容器の粉末製品にデバイスをより多く又は少なく押し込むかどうかを決定する。前に述べたように、製品の１回量は、デバイス上のいくつかの目盛の存在によって、及び／又はデバイスが透明材料で作製されることによって、視覚的に容易に分かるようになる。
【００７４】
デバイスは、垂直に挿入することができるが、同様に、斜め又は水平にも挿入することができる。デバイスは、垂直に挿入されると有利である。
【００７５】
方法は、したがって、ステップｂ）の後かつステップｃ）の前にステップｂ’）を含んでもよく、このステップｂ’）は、デバイスを、特定の角度、例えば、５度〜３６０度回すことからなる。
【００７６】
実際、挿入されると、デバイスは、ステップｃ）へと進む前にも、例えば、数度又は全回転まで回転させることができる。デバイスは、例えば、４５°（１／８回転）、又は９０°（１／４回転）、又は１８０°（１／２回転）又はそれを超えて回転させることができる。これにより、粉末製品をデバイス内部により良好に保持することが可能になる。
【００７７】
連続するステップｃ）において、デバイスが取り出されると、驚くべきことに、粉末製品はデバイス内に残っている。これは、本発明者により作製されたデバイスの必須の特徴の慎重な選択によるものである。
【００７８】
デバイスは、垂直に取り出してもよいが、また、斜めに又は水平に取り出してもよい。デバイスは、垂直に取り出されると有利である。
【００７９】
ステップｄ）において移動させる間、粉末製品のロスは全くないか、限定される。
【００８０】
前に記載したように、送達ステップｅ）は、一般に、１本若しくは数本の指でデバイスを、又は新たな使用場所を成す受容部（新たな容器、プレート、ボウル、カップ若しくは瓶等）をデバイスで、軽くたたくことのいずれかによって行われる。
【００８１】
容器内の粉末製品の残量がわずかになると、本発明のデバイスを用いて取り出すことのできる残りの粉末製品を十分な量を得るために、粉末製品は、（例えば、容器を傾けることによって）容器の、隅の１つなどの場所に集めることができる。
【００８２】
容器がそれ以上の粉末製品を含んでいなければ、消費者がいくつかのオプションを考慮する可能性がある。例えば、容器は、いくらかの新たな粉末製品を満たすことにより再度使用してもよい。消費者は、したがって、同じキット要素（すなわち、最初のデバイスと容器の両方）を使用し続けてもよい。逆に、消費者は、粉末製品を収容し得る新たな容器を購入することができるが、依然として、前のキットの同じデバイスを使用することができる。あるいは、消費者は、また、別の完全に新しいキットの購入を望んでもよい。
【００８３】
本発明のデバイスを別個に購入すること、及び本発明のデバイスを、粉末製品を含んでもよい容器内で使用することも可能とされ得ることに留意されたい。
【００８４】
本発明及びそのいくつかの特定の実施形態について、添付の図に関し、ここでより詳細に記載する。図は、本発明を実施する手法を示すものであり、添付の特許請求の範囲に該当する他の可能な実施形態を制限するものと捉えるべきではない。
【図面の簡単な説明】
【００８５】
【図１】規則的な形状を有する本体と、２つの先端部と、を備える、筒型形状を有する、本発明によるデバイスを示す。２つの先端部の１つは、楕円を形成する開口部を備え、Ｖ字形である。他方の先端部は開口部を含む。
【図２】漏斗形状（本体の長さに沿って本体の直径の規則的な変化を有する不規則な形状）を有する本体と、２つの先端部と、を備える、筒型形状を有する、本発明によるデバイスを示す。２つの先端部の１つは、楕円を形成する開口部を備え、Ｖ字形である。他方の先端部は閉じている。
【図３】本体の長さに沿って本体の直径の不規則な変化を有する不規則な形状を有する本体を備える、筒型形状を有する、本発明によるデバイスのいくつかの図を示す。デバイスの全般的な形状はニンジンを表す。デバイスは２つの先端部を有し、２つの先端部の１つは、楕円を形成する開口部を備え、Ｖ字形である。他方の先端部は閉じており、デザインパターン（ニンジンの尾（tail of the carrot））を備える。
【図３Ａ】デバイス（１）の、上側からの図である。
【図３Ｂ】デバイス（１）の、下側からの図である。
【図３Ｃ】デバイス（１）の前部側面図である。
【図３Ｄ】デバイス（１）の後部図（hindsight view）である。
【図３Ｅ】デバイス（１）の側面図である。
【図３Ｆ】デバイス（１）の側面図である。
【図３Ｇ】この特定のデバイス（１）の３Ｄ図である。
【図４】本発明によるデバイスの別の実施形態を示す。デバイスは、筒型形状を有し、かつ本体の長さに沿って本体の直径の規則的な変化を有する不規則な形状を有する本体を備える。デバイスは、一種のシャベルを表す。デバイスは２つの先端部を有する。２つの先端部の１つは、楕円を形成する開口部を備え、Ｖ字形である。他方の先端部は閉じており、デザインパターン（キュー（queue）の形態のチューブ）を備える。
【図４Ａ】デバイスの正面図である。
【図４Ｂ】デバイスの３Ｄ図である。
【図５】本発明による部品キットを示す。
【図６】粉末製品を取り出す、収容する、移動させる、送達する及び／又は１回量を計り取るために、本発明によるデバイスを使用する種々のステップを示す。
【図７】カカオ粉末に対し、本発明によるデバイスを使用する種々のステップを示す写真である。
【図８】コーヒー粉末に対し、本発明によるデバイスを使用する種々のステップを示す写真である。
【図９】乳児用シリアルに対し、本発明によるデバイスを使用する種々のステップを示す写真である。
【００８６】
図及び／又は明細書において、参照符号は以下の技術的特徴部に対応する。
（１）デバイス
（２）デバイス（１）の本体
（３）デバイス（１）の先端部
（４）デバイス（１）の先端部の少なくとも１つによって形成されるＶ字形
（５）デバイス（１）の先端部の少なくとも１つの開口部
（６）開口部（５）によって形成される楕円
（７）デバイス（１）の中心及び長手方向の軸線
（８）Ｖ字形（４）によって形成される接線
（９）デバイス（１）の接線長手方向の軸線
（１０）楕円（６）の頂部
（１１）目盛
（１２）粉末製品
（１３）粉末製品（１２）を含み得る容器
（１４）容器（１３）の基部
（１５）容器（１３）の開口部
（１６）容器（１３）の側壁
（１７）容器（１３）の蓋
（１８）粉末製品（１２）の使用場所
α：デバイス（１）の中心及び長手方向の軸線（７）と、Ｖ字形（４）によって形成される接線（８）との間の角度
β：デバイス（１）の接線長手方向の軸線（９）に対する楕円（６）の傾斜角に相当する角度
Ω：楕円（６）の頂部（１０）にて測定された、デバイス（１）の本体（２）の直径
（ｌ．ｄ．）デバイス（１）の長さ
（ｌ．ｅ．）楕円（６）の長さ
（ｌ．ｔ．ｅ）デバイス（１）の頂部から楕円（６）の頂部（１０）までの距離
（ｗ．ｅ．）楕円（６）の幅
（ｄ）２つの連続する目盛（１１）の間の距離
（Ｅ）Ｖ字形（４）の端部
【発明を実施するための形態】
【００８７】
以下の段落では、本願で使用されるいくつかの用語及び表現の定義を述べる。
【００８８】
表現「筒型形状を有するデバイス」又は「（中空）筒状デバイス」とは、中空筒型形状を有するデバイス、すなわち、デバイスの形状が、いくらかの製品、特に、いくらかの粉末製品を含み得る密閉容積を有するチューブであることを意味する。密閉容積は、中空筒型形状を有するデバイスの壁の内部側によって画定され（すなわち、境界が定められる）、この密閉容積は、デバイスが少なくともいくらかの製品を収容することを可能にするように構成されている。これは、中空部が、数ミリメートル（a few millimetres）〜数センチメートル（a few centimetres）、例えば、５ｍｍ〜５ｃｍ、例えば、１ｃｍ〜３ｃｍの寸法（例えば、幅／長さ）を有し得ることを意味する。例えば、中空筒型形状は、少なくとも０．５ｃｍ３、又は少なくとも１ｃｍ３、又は少なくとも２ｃｍ３、又は少なくとも５ｃｍ３、又は少なくとも８ｃｍ３、又は少なくとも１０ｃｍ３の製品を収容してもよい。
【００８９】
デバイスの中空部の寸法は、その長さに沿って一定とすることも不定とすることもできる。いくつかの実施形態では、例えば、デバイスの中空部の寸法は、デバイスの上部先端部から底部先端部まで減少させることができる。加えて、密閉容積の形状は、チューブに沿って、規則的とすることも不規則とすることもできる。特定の実施形態においては、デバイスの中空部は一定の寸法を有し、例えば、チューブが、上部先端部から底部先端部まで一定の直径を持つ中空リング（hollow ring）の境界を定める場合、密閉容積は規則的な形状を有する。
【００９０】
「本体」又は「デバイスの本体」は、デバイスの少なくとも２つの先端部の間にある、デバイスの部分と理解すべきである。本体は、一般に、長手方向の軸線を有する。
【００９１】
「デバイスの直径」及び「デバイスの本体の直径」は、（デバイスの又はその本体の）チューブの外径に相当する。これは、デバイスをその長さに対して垂直に切断した（すなわち断面）ときに測定され得るものであり、一般に、中心を通る、チューブの最も長い距離に相当する。実施形態に応じて、チューブは規則的な形状又は不規則な形状を有し得る。チューブの断面は、例えば、円を形成し得る。この場合、直径は、最大距離（円の最長弦）、すなわち、円の中心を通り、終点が円上にある直線分に相当する。チューブの断面は、例えば、長円形又は楕円形を成し得る。同じく、直径は中心を通る最大距離に相当する。しかしながら、凸形状又は凹形状では、直径は、その境界に正接する２本の対向する平行線間に形成され得る最大距離と定義される。
【００９２】
「チューブの幅」は、一般に、デバイスをその長さに対し垂直に切断した（すなわち断面）ときに中心を通る、チューブの最短（及び外側）距離に相当する。しかしながら、凸形状では、この幅は、その境界に正接する２本の対向する平行線間に形成され得る最短距離と定義される。いくつかの実施形態、例えば、チューブの断面が円を形成する場合、チューブの幅は、デバイスの直径に相当してもよい。いくつかの他の実施形態においては、例えば、チューブの断面が長円形を成す場合、この幅はより小さくなる。
【００９３】
「直径Ω」は、楕円の上部縁端で測定した（デバイスの又はその本体の）チューブの直径に相当する。
【００９４】
特に指示がない限り、幅、長さ及び直径の各測定値は外側を測定される。
【００９５】
デバイスの「先端部」は、デバイスの底部（すなわち「底部先端部」）又はデバイスの頂部（すなわち「上部先端部」）に位置し得るデバイスの端部部分である。
【００９６】
デバイスが直立／垂直に保持される場合（すなわち、楕円を形成する開口部を備え、Ｖ字形である先端部が下に位置する場合）、デバイスの底部は、デバイスの最も低い部分に画定され得る。デバイスが直立／垂直に保持される場合、デバイスの頂部はデバイスの最も高い部分に画定される。
【００９７】
表現「Ｖ字形である先端部」とは、先端部の形状が縮小し、Ｖ字又はＵ字（すなわち傾斜先端部）を形成すること意味するものである。先端部は、頂点又は点（すなわち、チューブの直径が０になるか、０に近づく）によって終端する（すなわち、先端部が終了する）か、あるいは、先端部はわずかな湾曲を形成し得る（すなわち、チューブの直径は０にならないか、０に近づかない）。このＶ字形である先端部の終端は、本発明では、Ｅとも称される。特定の実施形態においては、デバイスはＵ字形を有する先端部を有する。
【００９８】
先端部は、開口部を含み得るか、あるいは、閉じることができる。本発明では、デバイスの先端部の少なくとも１つが開口部を備える。「開口部」は間隙である。閉じられた先端部とは、いくらかの粉末製品をデバイス内に入れた場合、製品がこの閉じた先端部を通じて外に出ることはできないことを意味する。例えば、それは密閉された先端部である。
【００９９】
表現「楕円形態の開口部」、「楕円形態を有する開口部」及び「楕円を形成する開口部」は、区別なく使用され得る。これらは、開口部がデバイスの長さに対して傾斜しており（傾めである）、かつ好ましくは、鋭利に切断されることを意味する。楕円はおおむね規則的であってよい。すなわち、特に、Ｅが、小さな円（すなわち、曲線）で終端するか、頂点で終端するかどうかに応じて、楕円は、規則的な形態を有することも不規則な形態を有することもできる。前に述べたように、楕円を形成する開口部という表現と、（例えば、図２に示されるように）開口部の一部のみが楕円を形成することと理解され得る。特定の実施形態においては、開口部の少なくとも上部分が楕円を形成する。別の特定の実施形態においては、（例えば、図１、図３及び図４に示されるように）開口部全体が楕円を形成する。
【０１００】
「角度α」は、ｉ）デバイスの中心及び長手方向の軸線（中心長手方向軸線とも呼ばれる）と、ｉｉ）少なくとも１つの先端部（一般に、底部先端部）のＶ字形によって形成される接線との間の角度である。本発明では、この角度は１０°未満でなければならない。
【０１０１】
「角度β」は、デバイスの壁の外側面に沿う接線長手方向の軸線（デバイスの接線長手方向の軸線とも呼ばれる）に対する、楕円の傾斜角に相当する。したがって、（デバイスが斜めに又は水平に使用され得る場合であっても）デバイスが粉末製品に対し垂直に使用される場合、角度βは、粉末製品へのデバイスの進入角（penetration angle）に相当する。
【０１０２】
表現「粉末形態の製品」、「粉末製品（a powdered product）」、「粉末製品（powder product）」、「粉末形態を有する製品（a product having a powder form）」、「粉末形態の製品（a product with a powder form）」は、区別なく使用され得る。これらは、粒状形態を有する製品を意味する。前に述べたように、粉末製品は、一般に、２００ｇ／Ｌ〜６００ｇ／Ｌ、例えば、２５０ｇ／Ｌ〜５８０ｇ／Ｌ、若しくは２５０ｇ／Ｌ〜４８０ｇ／Ｌの密度、並びに／又は３０μｍ〜５００μｍ、及び特に、５０μｍ〜４００μｍ、例えば、８０μｍ〜３００μｍ、若しくは１００μｍ〜２００μｍ、若しくは１２０μｍ〜１８０μｍの粒度分布及び／若しくは平均粒度分布を有する。粉末製品は、また、いくらかの架橋剤又は凝集剤を含んでもよい。
【０１０３】
粉末製品は、本発明のデバイスにより、容器からその使用場所へと移動させることができる。表現「その使用場所」とは、元の容器と異なる新たな物理的場所を意味するものであり、粉末製品は（例えば、消費のため）直接使用されるか、後の使用までとどまるかのいずれかである。粉末製品の種類及び粉末の移動の目的に応じて、その使用場所は、一般に、例えば、新たな容器、プレート、ボウル、カップ、哺乳瓶又は任意の他の適切な物品などの受容部である。
【０１０４】
表現「キット」、「部品キット（kit of part）」及び「部品のキット（kit−of−part）」は、本発明において、区別なく使用され得る。
【０１０５】
動詞「運搬する（transport）」及び「移動させる（transfer）」は区別なく使用され得る。
【０１０６】
動詞「送達する（deliver）」及び「分注する（dispense）」もまた、区別なく使用され得る。これらは、粉末製品の分配又は送達を意味する。
【０１０７】
用語「一般に（generally）」及び「通常（typically）」が特定の特徴に関連して使用される場合、この特定の特徴は必須ではなく、むしろ任意とみなされるべきである。
【０１０８】
本発明のいくつかの特定の実施形態を、添付の図に関し、ここでより詳細に記載する。
【０１０９】
図１は、本発明の特定の実施形態を示す。図１は、本発明による、筒型形状を有するデバイス（１）を示す（前部側面図）。デバイス（１）は、規則的な形状を有する本体（２）を備える、すなわち、本体（２）の直径はその長さに沿って一定である。デバイス（１）は２つの先端部（３ａ、３ｂ）を有する。
先端部（３ａ）（又は底部先端部）は、楕円（６）を形成する開口部（５ａ）を備え、Ｖ字形（４）である。前に述べたように、デバイス（１）の中心及び長手方向の軸線（７）と、Ｖ字形（４）によって形成される接線（８）との間の角度αは、通常、４°〜９°、又は５°〜８°である。特定の実施形態においては、角度αは８°である。
【０１１０】
端部Ｅは、わずかな湾曲によって作製される。
先端部（３ｂ）（又は上部先端部）は、開口部（５ｂ）を備える。前に述べたように、開口部（５ｂ）は種々の形状を有し得る。この特定の実施形態においては、開口部（５ｂ）はデバイスの長さに対し垂直である。
【０１１１】
この実施形態においては、デバイス（１）は、充填レベル（丸で囲まれたデジタル数字１、２、３及び４）を示す数に対応づけられた、切欠でできた４つの目盛（１１ａ、１１ｂ、１１ｃ、１１ｄ）を含む。各目盛は別の目盛から同様の距離（ｄ）にて離れており、２つの連続する目盛の間（例えば、１１ａと１１ｂとの間）の密閉容積は、他の２つの連続する目盛の間（１１ｂと１１ｃとの間又は１１ｃと１１ｄとの間）の密閉容積に類似する。
【０１１２】
この特定の実施形態は、母親が、例えば、乳児用調製粉乳又は乳児用シリアルを送達する／１回量を計り取るために使用する場合、特に好適とされ得る。
【０１１３】
図２は、本発明の別の実施形態である。図２は、漏斗形状（本体（２）の長さに沿って本体（２）の直径の規則的な変化を有する不規則な形状）を有する本体（２）を備える、筒型形状を有するデバイス（１）を示す（前部側面図）。デバイス（１）は２つの先端部（３ａ、３ｂ）を有する。
先端部（３ａ）（又は底部先端部）は、楕円（６）を形成する開口部（５）を備え、Ｖ字形（４）である。特定の実施形態においては、角度αは６°である。端部Ｅは、頂点によって形成され、楕円（６）は、したがって、不規則な形態を有する。
先端部（３ｂ）（又は上部先端部）は閉じている。
【０１１４】
この実施形態においては、デバイス（１）は、デバイス（１）を完全に取り囲む１本の線でできた３つの目盛（１１ａ、１１ｂ、１１ｃ）を含む。２つの連続する目盛（１１ａと１１ｂとの間）を隔てる距離（ｄ１）は、他の２つの連続する目盛（１１ｂと１１ｃとの間）を隔てる距離（ｄ２）とは異なり、本場合においては、ｄ１＞ｄ２であるが、これら２組の連続する目盛の間の密閉容積は類似している。
【０１１５】
図３は、本発明によるデバイス（１）のいくつかの図を示す。デバイス（１）はニンジンの形状を有する。デバイス（１）は、３Ｄプリンタを用いて剛性プラスチック材料から作製される。このデバイスは、例えば、カカオ粉末等の製品に特に好適である。デバイス（１）は２つの先端部（３ａ、３ｂ）を有する。
先端部（３ａ）（又は底部先端部）は、楕円（６）を形成する開口部（５）を備え、Ｖ字形（４）である。端部Ｅは、わずかな湾曲によって作製される。特定の実施形態においては、角度αは７°である。
先端部（３ｂ）（又は上部先端部）は閉じており、かつデザインパターン（ニンジンの尾）を備える。このパターンは、デバイスの全般的なデザイン（ニンジン）の一部であるが、また、消費者によるデバイスのより適切な取り扱いを補助する。この特定の野菜の外観をより想起させるために、チューブはオレンジ色であってもよく、尾は緑であってもよい。
【０１１６】
図３Ａは、デバイス（１）の、上側から、すなわち、ニンジンの尾である先端部（３ｂ）の図である。
【０１１７】
図３Ｂは、デバイス（１）の、下側から、すなわち、先端部（３ａ）の図である。開口部（５）及び最大先端部（３ｂ）が示される。この図ではまた、楕円（６）の頂部（１０）にて測定された本体（２）の直径Ωも示される。特定の実施形態においては、直径Ωは１８．７ｍｍの値を有する。
【０１１８】
図３Ｃは、デバイス（１）の前部側面図である。特定の実施形態においては、デバイス（１）は、８０ｍｍの全長（ｌ．ｄ．）を有する（デザインパターンを含む）。
【０１１９】
端部Ｅは、わずかな湾曲によって作製される。
【０１２０】
特定の実施形態においては、楕円（６）の頂部（１０）は、デバイス（１）の長さ（ｌ．ｄ．）の半分の距離（ｌ．ｔ．ｅ）、すなわち、デバイス（１）の頂部から４０ｍｍの距離にある。したがって、楕円の長さ（ｌ．ｅ．）もまた４０ｍｍとなり、楕円の幅（ｗ．ｅ．）は１２ｍｍとなり、楕円の長さ（ｌ．ｅ．）と幅（ｗ．ｅ．）との比は３．３３となる。この図ではまた、楕円（６）の頂部（１０）にて測定された本体（２）の直径Ωも示される。
【０１２１】
図３Ｄは、デバイス（１）の後部図（hindsight view）である。この実施形態においては、デバイス（１）は、デバイス（１）を完全に取り囲むいくつかの切欠によって作製された５つの目盛（１１ａ、１１ｂ、１１ｃ、１１ｄ、１１ｅ）を備える。本実施例では、切欠の厚さもまた異なる（１１ｂでは０．９ｍｍ、１１ｃでは１．２ｍｍ、１１ｄでは２．３ｍｍ）が、いくつかの他の実施形態においては、それらは、また、類似してもよい。
【０１２２】
２つの連続する目盛（１１）を隔てる距離（ｄ）、及びそれらの間の密閉容積はすべて異なる。特定の実施形態においては、例えば、１１ａは底部から３ｍｍにあり、１１ｂは底部から１５ｍｍ、１１ｃは底部から３２ｍｍ、１１ｄは底部から４５ｍｍ、及び１１ｅは底部から５９ｍｍにある（切欠の中央から底部先端部３ａの端部、すなわち、Ｅまでを測定した場合）。１１ａと１１ｂとの間の距離は１２ｍｍ、１１ｂと１１ｃとの間の距離は１７ｍｍ、１１ｃと１１ｄとの間の距離は１３ｍｍ、及び１１ｄと１１ｅとの間の距離は１４ｍｍである。
【０１２３】
この特定の実施形態においては、チューブの断面は長円形を成す。デバイスの（すなわちチューブの）直径はその長さに沿って変化し、例えば、１１ｂでは１３．３ｍｍ、１１ｃでは１７．４ｍｍ、１１ｄでは１８．５ｍｍ、及び楕円（６）の頂部（１０）では１８．７ｍｍ（＝直径Ω）である。チューブの幅もまた、その長さに沿って変化し、この実施形態においては、チューブの幅はデバイスの直径よりも小さく、例えば、１１ｂでは９ｍｍ、１１ｃでは１５．５ｍｍである。
【０１２４】
図３Ｅ及び図３Ｆは、デバイス（１）の側面図である。特定の実施例においては、デバイス（１）の接線長手方向の軸線（９）に対する楕円（６）の傾斜角に相当する角度βは１５°である。
【０１２５】
図３Ｇは、この特定のデバイス（１）の３Ｄ図である。
【０１２６】
したがって、特定の実施形態においては、図３に記載されるデバイスは以下の測定値を有する。
角度α＝７°
直径Ω＝１８．７ｍｍ
ｌ．ｄ．＝８０ｍｍ
ｌ．ｔ．ｅ＝４０ｍｍ
ｌ．ｅ．＝４０ｍｍ
ｗ．ｅ．＝１２ｍｍ
いくつかの目盛（例えば、５つ）
【０１２７】
当然、種々の実施形態が存在し得る。例えば、種々の図で記載した種々の長さ、直径、角度は、本発明に包含される多くの他の適切なデバイスを提供するために変更することができる。例として、別の適切な実施形態は図３に記載したデバイスとされ得るが、以下の測定値を有する。
角度α＝８°
直径Ω＝１５ｍｍ
ｌ．ｄ．＝７０ｍｍ
ｌ．ｔ．ｅ＝４２ｍｍ
ｌ．ｅ．＝３８ｍｍ
ｗ．ｅ．＝１０ｍｍ
いくつかの目盛、例えば、２ｍｍの厚さを有し、かつ１４ｍｍ離間した、切欠によって作製された３つの目盛１１ａ、１１ｂ、１１ｃ
【０１２８】
別の実施形態は、図３に記載したデバイスとされ得るが、以下の測定値を有する。
角度α＝５°
直径Ω＝２３ｍｍ
ｌ．ｄ．＝９０ｍｍ
ｌ．ｔ．ｅ＝５０ｍｍ
ｌ．ｅ．＝４０ｍｍ
ｗ．ｅ．＝１１ｍｍ
目盛なし
【０１２９】
図４は、本発明によるデバイス（１）の別の実施形態を示す。図４Ａは、デバイスの正面図を示し、図４Ｂは、３Ｄ図である。デバイス（１）は筒型形状を有し、本体（２）の長さに沿って本体（２）の直径の規則的な変化を有する不規則な形状を有する本体（２）を備える。デバイス（１）は剛性である。デバイス（１）は一種のショベルを表し、コーヒー世界の精神を想起させるために金などの色であってもよい。このデバイス（１）は、例えば、コーヒー粉末などの製品に対し特に好適である。
【０１３０】
デバイス（１）は２つの先端部（３ａ、３ｂ）を有する。
先端部の１つ（３ａ）は、楕円（６）を形成する開口部（５）を備え、Ｖ字形（４）である。特定の実施形態においては、デバイス（１）の中心及び長手方向の軸線（７）と、Ｖ字形（４）によって形成される接線（８）との間の角度αは７°である。
【０１３１】
他方の先端部（３ｂ）は閉じており、デザインパターン（キュー（queue）の形態のチューブ）を備える。
【０１３２】
特定の実施形態においては、測定値は以下のものである。
直径Ω＝１８．７ｍｍ
ｌ．ｄ．＝１１１ｍｍ
ｌ．ｔ．ｅ＝７３ｍｍ
ｌ．ｅ．＝３８ｍｍ
ｗ．ｅ．＝１０ｍｍ
また、目盛はない。
【０１３３】
図５は、本発明による部品キットを示す。部品キットは、本発明のデバイス（１）と、いくらかの粉末製品（１２）を収容する容器（１３）と、を備える。容器（１３）は、１つの底部（１４）と、消費者が粉末製品（１２）にアクセスすることを可能にする１つの開口部（１５）と、を有する箱である。容器（１３）は、また、４つの側面（１６ａ、１６ｂ、１６ｃ、１６ｄ）と、箱を閉じることを可能にする１つの蓋（１７）と、を有する。
【０１３４】
後に、いくらかの粉末製品（１２）を取り出す、収容する、移動させる、送達する及び／又は１回量を計り取るために使用するため、容易に把持できるように、本発明のデバイス（１）は、容器（１３）の蓋（１７）に、接着片（不図示）によって取り付けられている。
【０１３５】
図６は、粉末製品を取り出す、収容する、移動させる、送達する及び／又は１回量を計り取るために、本発明によるデバイスを使用する種々のステップのいくつかを示す。
【０１３６】
図６．１によって示される第１のステップにおいては、本発明のデバイス（１）（図３に示されるニンジンデバイスとされ得る）が容器（１３）の上に垂直に配置される。容器（１３）は、基部（１４）と、容器（１３）の内容物へのアクセスを得るために開かれている開口部（１５）と、を備え、かついくらかの粉末製品（１２）を収容している。
【０１３７】
その後、図６．２によって示されるように、消費者が（手で）デバイス（１）を特定のレベルまで（例えば、最後の目盛まで）押すことによって、デバイス（１）は、容器（１３）の粉末製品（１２）内に垂直に挿入される。
【０１３８】
次のステップは図６．３によって示される。デバイス（１）は垂直に取り出される。ここで、デバイス（１）はいくらかの粉末製品（１２）を内部に収容している。
【０１３９】
粉末製品（１２）は、その後、例えば、手の簡単な動きによって、容器（１３）からその使用場所（１８）へと移動される（不図示）。
【０１４０】
図６．４によって示されるように、粉末製品（１２）は、最後に、例えば、乳児用調製粉乳若しくは乳児用シリアル用の哺乳瓶、又は例えば、コーヒー粉末若しくはカカオ粉末用のボウルなどの、その使用場所（１８）に送達される。
【０１４１】
図７の写真は、ＮｅｓｔｌｅのＮｅｓｑｕｉｋ（登録商標）粉末などのカカオ粉末に対し、本発明によるデバイスを使用する種々のステップを示す。
【０１４２】
図７．１では、図３のニンジンデバイスは、プラスチック製Ｎｅｓｑｕｉｋ容器の上に垂直に配置される。
【０１４３】
その後、図７．２によって示されるように、消費者が（手で）ニンジンデバイスを特定のレベルまで（例えば、最後の目盛まで）押すことによって、デバイスは、プラスチック製Ｎｅｓｑｕｉｋ容器のカカオ粉末内に垂直に挿入される。図７．３によって示されるように、デバイスは、その後、垂直に取り出される。ここで、デバイスはいくらかのカカオ粉末を内部に収容している。カカオ粉末は、その後、プラスチック製Ｎｅｓｑｕｉｋ容器からカップへと移動される（不図示）。最後に図７．４及び図７．５によって示されるように、カカオ粉末製品は、最後に、ニンジンデバイスでカップを軽くたたくことによってカップ内に送達される。
【０１４４】
図８の写真は、ＮｅｓｔｌｅのＮｅｓｃａｆｅ  Ａｚｅｒａ（登録商標）などのコーヒー粉末に対し、本発明によるデバイスを使用する種々のステップを示す写真である。
【０１４５】
図８．１では、図３のニンジンデバイスが、コーヒー粉末を収容しているブリキ缶容器の上に垂直に配置される。その後、図８．２によって示されるように、消費者が（手で）ニンジンデバイスを特定のレベルまで（例えば、最後の目盛まで）押すことによって、デバイスは、ブリキ缶容器のコーヒー粉末内に垂直に挿入される。図８．３によって示されるように、デバイスは、その後、垂直に取り出される。ここで、デバイスはいくらかのコーヒー粉末を内部に収容している。コーヒー粉末は、その後、ブリキ缶容器からカップへと移動される（不図示）。最後に、図８．４及び図８．５によって示されるように、客は、最後に、デバイスを自身の指で軽くたたくことによってコーヒー粉末製品をカップ内に送達する。
【０１４６】
図９は、乳児用シリアルに対し、本発明によるデバイスを使用する種々のステップを示す写真である。
【０１４７】
図９．１では、図３のニンジンデバイスが、乳児用シリアル粉末を収容する可撓性パック（又はパウチ）容器の上に垂直に配置される。その後、図９．２によって示されるように、消費者が（手で）ニンジンデバイスを特定のレベルまで（例えば、最後の目盛まで）押すことによって、デバイスは、可撓性パック容器の乳児用シリアル粉末内に垂直に挿入される。図９．３によって示されるように、デバイスは、その後、垂直に取り出される。ここで、デバイスはいくらかの乳児用シリアル粉末を内部に収容している。乳児用シリアル粉末は、その後、可撓性パック容器から哺乳瓶へと移動される（不図示）。最後に、図９．４及び図９．５によって示されるように、乳児用シリアル粉末製品は、最後に、デバイスで哺乳瓶を軽くたたくことによって哺乳瓶内に送達される。
【０１４８】
他の種類のデバイスについても試験した。
【０１４９】
実験Ａでは、いくつかのデバイスを作製し、試験した。これらはすべて、楕円を形成する開口部を備え、Ｖ字形である１つの先端部（底部先端部）を有し、デバイスの中心及び長手方向の軸線と、Ｖ字形によって形成される接線との間の角度αは１０°であった。これらデバイスの全長（ｌ．ｄ．）は８０ｍｍであった。楕円の種々の長さ（ｌ．ｅ．）及び幅（ｗ．ｅ．）について試験した。
３７ｍｍ×１０ｍｍ
４１ｍｍ×１１ｍｍ
４７ｍｍ×１３ｍｍ
５０ｍｍ×１４ｍｍ
【０１５０】
それぞれの場合において、デバイスは、粉末製品を適切に保持することはできず、これは、この粉末製品（又はその大部分）がすべり出たことによる。これらデバイスは本発明の一部ではない。したがって、１０°未満の角度αを有することが、本発明によるデバイスに必須の特徴である。
【０１５１】
実験Ｂのために他のデバイスを作製した。これらはすべて、楕円を形成する開口部を備え、Ｖ字形である１つの先端部（底部先端部）を有する。実験Ａと同様に、これらデバイスの全長（ｌ．ｄ．）は８０ｍｍであった。種々の角度α並びに楕円の種々の長さ（ｌ．ｅ．）及び幅（ｗ．ｅ．）について試験した。
角度α＝９°、ｌ．ｅ．ｘ  ｗ．ｅ．＝４２ｍｍ×１１ｍｍ
角度α＝９°、ｌ．ｅ．ｘ  ｗ．ｅ．＝３８ｍｍ×１０ｍｍ
角度α＝８°、ｌ．ｅ．ｘ  ｗ．ｅ．＝３８ｍｍ×１０ｍｍ
角度α＝７°、ｌ．ｅ．ｘ  ｗ．ｅ．＝４１ｍｍ×１２ｍｍ
角度α＝７°、ｌ．ｅ．ｘ  ｗ．ｅ．＝５０ｍｍ×１３ｍｍ
角度α＝５°、ｌ．ｅ．ｘ  ｗ．ｅ．＝４０ｍｍ×１０ｍｍ
角度α＝５°、ｌ．ｅ．ｘ  ｗ．ｅ．＝４０ｍｍ×１１ｍｍ
【０１５２】
それぞれの場合において、デバイスは、粉末製品を適切に保持し、かつ送達することができた。これらデバイスは本発明の一部である。
【０１５３】
実験Ｃでは、他のデバイスを作製した。これらはすべて、楕円を形成する開口部を備え、Ｖ字形である１つの先端部（底部先端部）を有し、長さ（ｌ．ｄ．）は実験Ａ及び実験Ｂのものに類似していた。以下の角度α並びにこれら種々の長さ（ｌ．ｅ．）及び幅（ｗ．ｅ．）を有する楕円についても試験した。
角度α＝５°、ｌ．ｅ．ｘ  ｗ．ｅ．＝２８ｍｍ×９ｍｍ
角度α＝７°、ｌ．ｅ．ｘ  ｗ．ｅ．＝２８ｍｍ×１０ｍｍ
角度α＝７°、ｌ．ｅ．ｘ  ｗ．ｅ．＝３５ｍｍ×１０ｍｍ
【０１５４】
これらデバイスもまた、本発明の一部である。これらは、しかしながら、デバイスを満たすこと、及び空にすることをわずかにより複雑にする（が依然として可能である）、より短い楕円の長さにより、実験Ｂのデバイスわずかに利便性が低い（a little bit less convenience that the devices of experiment B）。したがって、（実験Ｂと同様に）３８ｍｍ〜５０ｍｍの楕円の長さ（ｌ．ｅ．）が特に有利である。
【０１５５】
実験Ａ、実験Ｂ及び実験Ｃのそれぞれでは、デバイスを、本発明に記載される方法（すなわち、試験Ｔ）に従って、特に、
ａ）デバイス（空）を容器の上に配置するステップであって、容器が、開いており、いくらかの粉末製品（本場合においては、粉末製品は４８０ｇ／Ｌの密度及び１５６μｍの平均粒度分布を有するカカオ粉末であった）を収容している、ステップと、
ｂ）デバイスを特定のレベル（このレベルはデバイスの頂部の近傍であった）まで押すことによって、デバイスを粉末製品に挿入するステップと、
ｃ）デバイスを取り出し、デバイスがここで、いくらかの粉末製品を内部に含んでいる（保持している）かどうかを評価するステップと、
ｄ）粉末製品を、容器からその使用場所（カップ）へと移動させるステップと、
ｅ）粉末製品をその使用場所（カップ）に送達するステップと、
によって試験した。
【０１５６】
デバイスの、本発明への適合性は、デバイスがすべての異なるステップａ）からｅ）において成功したかどうか、特に、ステップｃ）を実施したときに、粉末製品をデバイスが適切に（つまりその大部分、例えば、ステップｂ）でデバイス内に入れる製品の、少なくとも８０％、又は少なくとも８５％、又は少なくとも９０％、又は少なくとも９２％、又は少なくとも９５％、又は少なくとも９８％、又は少なくとも９９％を）保持することができたかどうかによって決定した。
【０１５７】
ステップａ）、ステップｂ）及びステップｃ）は垂直にて行った。適切な結果が得られたデバイスについては、デバイスを斜め及び同様に水平にて使用し、他の試験を行い、成功を収めた。ステップｂ）の後かつステップｃ）の前にステップｂ’）を追加した場合の他の試験でも成功を収めた。このステップｂ’）はデバイスを特定の角度回すことからなる。いくつかの角度（４５°、９０°、１８０°）についても同様に試験し、これらではすべて満足な結果が得られた。
【０１５８】
別の一連の実験では、図３のデバイスを用いて、いくつかの種類の製品についても試験した。本発明のデバイスは、以下のこれら製品に対して特に好適である。
４８０ｇ／Ｌ及び５８０ｇ／Ｌの密度、５０μｍ〜４００μｍの粒度分布、１５６μｍの平均粒度分布を有する粉末カカオ製品（ＮＥＳＱＵＩＫ（登録商標）、Ｎｅｓｔｌｅ）
２５０ｇ／Ｌの密度を有する粉末乳児用シリアル（Ｂａｂｙ  ｃｅｒｅａｌｓ  ｇｏｏｄ  Ｎｉｇｈｔ、Ｎｅｓｔｌｅ）
４５０ｇ／Ｌの密度を有する粉末乳児用調製粉乳
２７０ｇ／Ｌの密度を有する粉末コーヒー製品（ＮＥＳＣＡＦＥ  Ａｚｅｒａ（登録商標））
粉末ブイヨン（Ｍａｇｇｉ（登録商標）Ｂｏｕｉｌｌｏｎ、Ｌｅｇｕｍｓ、牛肉及び子牛肉）
【０１５９】
いくつかの液体製品及び粘性製品（ゲル、ゼリー、氷、ジャム、マーマレード）についても試験したが、粉末形態ではないこれら製品に関して、本発明のデバイスはあまり便利でないか、あるいは、特に好適ではない。
【０１６０】
本発明を特定の実施形態とともに記載してきたが、記載した実施例に限定されるものと解釈すべきではない。本発明の範囲は添付の特許請求の範囲によって設定する。特許請求の範囲の文脈では、用語「備える（comprising）」又は「備える（comprises）」は他の可能となる要素又はステップを排除するものではない。また、「ａ」又は「ａｎ」等のような参照符への言及は、複数を排除するものと解釈すべきではない。特許請求の範囲における、図に示される要素に対する参照符号の使用もまた、本発明の範囲を限定するものと解釈すべきではない。更に、種々の請求項又は明細書の一部で言及した個々の特徴は、おそらくは有利に組み合わせてもよく、種々の請求項又は明細書の一部におけるこれら特徴への言及は、特徴の組み合わせが可能でなく、かつ有利でないことを排除するものではない。
【図１】
2016534350.tif 000003
【図２】
2016534350.tif 000004
【図３−１】
2016534350.tif 000005
【図３−２】
2016534350.tif 000006
【図４Ａ）】
2016534350.tif 000007
【図４Ｂ）】
2016534350.tif 000008
【図５】
2016534350.tif 000009
【図６】
2016534350.tif 000010
【図７】
2016534350.tif 000011
【図８】
2016534350.tif 000012
【図９】
2016534350.tif 000013
【国際調査報告】
2016534350.tif 000014
2016534350.tif 000015
2016534350.tif 000016